(57)【要約】【課題】  ＰＤＰを提供する。【解決手段】  互いに離れて配置されて、その間に放電空間を形成する下部基板及び上部基板と、下部基板と上部基板との間に設けられて、放電空間を区画して放電セルを形成する複数の隔壁と、下部基板の上面に互いに並行して形成される複数のアドレス電極と、上部基板の下部にアドレス電極と交差する方向に形成される複数の放電電極と、放電セルの内壁に形成される蛍光体層と、上部基板に形成されて、外部の光が放電セルに流入されることを防止するための外光遮蔽部材と、を備え、上部基板の下面には、放電セルのそれぞれに対応して放電によって発生した可視光を集束して外部へ出射させる複数の円筒形レンズが形成されるＰＤＰである。【選択図】  図３
2005302716.tif 000002
【特許請求の範囲】
【請求項１】
互いに離れて配置されて、その間に放電空間を形成する下部基板及び上部基板と、
前記下部基板と上部基板との間に設けられて、前記放電空間を区画して放電セルを形成する複数の隔壁と、
前記下部基板の上面に互いに並行に形成される複数のアドレス電極と、
前記上部基板の下部に前記アドレス電極と交差する方向に形成される複数の放電電極と、
前記放電セルの内壁に形成される蛍光体層と、
前記上部基板に形成されて、外部の光が前記放電セルに流入されることを防止するための外光遮蔽部材と、を備え、
前記上部基板の下面には、前記放電セルのそれぞれに対応して、放電によって発生した可視光を集束して外部へ出射させる複数の円筒形レンズが形成されることを特徴とするプラズマディスプレイパネル。
【請求項２】
前記円筒形レンズは、前記上部基板に一体に形成されることを特徴とする請求項１に記載のプラズマディスプレイパネル。
【請求項３】
前記円筒形レンズは、前記アドレス電極と平行に形成されることを特徴とする請求項１に記載のプラズマディスプレイパネル。
【請求項４】
前記外光遮蔽部材は、前記上部基板の上面に前記アドレス電極と平行に形成される複数のブラックストライプを含むことを特徴とする請求項３に記載のプラズマディスプレイパネル。
【請求項５】
前記ブラックストライプは、放電によって発生した可視光が出射される領域以外の領域に形成されることを特徴とする請求項４に記載のプラズマディスプレイパネル。
【請求項６】
前記ブラックストライプはＥＭＩ遮蔽用の導電膜を含むことを特徴とする請求項４に記載のプラズマディスプレイパネル。
【請求項７】
前記ブラックストライプ間の前記上部基板の上面は無反射処理されることを特徴とする請求項４に記載のプラズマディスプレイパネル。
【請求項８】
前記円筒形レンズは、前記アドレス電極と直交する方向に形成されることを特徴とする請求項１に記載のプラズマディスプレイパネル。
【請求項９】
前記外光遮蔽部材は、前記上部基板の上面に前記アドレス電極と直交する方向に形成される複数のブラックストライプを含むことを特徴とする請求項８に記載のプラズマディスプレイパネル。
【請求項１０】
前記ブラックストライプは、放電によって発生した可視光が出射される領域以外の領域に形成されることを特徴とする請求項９に記載のプラズマディスプレイパネル。
【請求項１１】
前記ブラックストライプは、ＥＭＩ遮蔽用の導電膜を含むことを特徴とする請求項９に記載のプラズマディスプレイパネル。
【請求項１２】
前記ブラックストライプ間の前記上部基板の上面は無反射処理されることを特徴とする請求項９に記載のプラズマディスプレイパネル。
【請求項１３】
前記放電電極は、前記円筒形レンズの下面に形成されることを特徴とする請求項１に記載のプラズマディスプレイパネル。
【請求項１４】
前記円筒形レンズの下面には、透明な材質の物質層が前記円筒形レンズを覆うように形成されることを特徴とする請求項１に記載のプラズマディスプレイパネル。
【請求項１５】
前記放電電極は前記物質層の下面に形成されることを特徴とする請求項１４に記載のプラズマディスプレイパネル。
【請求項１６】
前記隔壁は、前記アドレス電極と平行に形成されることを特徴とする請求項１に記載のプラズマディスプレイパネル。
【請求項１７】
前記放電電極の下面にはバス電極が形成されることを特徴とする請求項１に記載のプラズマディスプレイパネル。
【請求項１８】
前記下部基板の上面には、前記アドレス電極を覆うように第１誘電体層が形成されることを特徴とする請求項１に記載のプラズマディスプレイパネル。
【請求項１９】
前記上部基板の下部には、前記放電電極を覆うように第２誘電体層が形成されることを特徴とする請求項１８に記載のプラズマディスプレイパネル。
【請求項２０】
前記第２誘電体層の下面には保護膜が形成されることを特徴とする請求項１９に記載のプラズマディスプレイパネル。
【請求項２１】
互いに離れて配置されて、その間に放電空間を形成する下部基板及び上部基板と、
前記下部基板と上部基板との間に設けられて、前記放電空間を区画して放電セルを形成する複数の隔壁と、
前記下部基板の上面に互いに並行に形成される複数のアドレス電極と、
前記上部基板の下部に前記アドレス電極と交差する方向に形成される複数の放電電極と、
前記放電セルの内壁に形成される蛍光体層と、
前記上部基板に形成されて、外部の光が前記放電セルに流入されることを防止するための外光遮蔽部材と、を備え、
前記上部基板の下面には、複数の放電セルに対応して放電によって発生した可視光を集束して外部へ出射させる一つの円筒形レンズが形成されることを特徴とするプラズマディスプレイパネル。
【請求項２２】
前記円筒形レンズは、それぞれ一つのピクセルをなす３個の放電セルに対応して形成されることを特徴とする請求項２１に記載のプラズマディスプレイパネル。
【請求項２３】
前記円筒形レンズは、前記アドレス電極と平行に形成されることを特徴とする請求項２１に記載のプラズマディスプレイパネル。
【請求項２４】
前記円筒形レンズは、前記上部基板に一体に形成されることを特徴とする請求項２１に記載のプラズマディスプレイパネル。
【請求項２５】
前記放電電極は前記円筒形レンズの下面に形成されることを特徴とする請求項２１に記載のプラズマディスプレイパネル。
【請求項２６】
前記円筒形レンズの下面には、透明な材質の物質層が前記円筒形レンズを覆うように形成されることを特徴とする請求項２１に記載のプラズマディスプレイパネル。
【請求項２７】
前記放電電極は前記物質層の下面に形成されることを特徴とする請求項２６に記載のプラズマディスプレイパネル。
【請求項２８】
前記外光遮蔽部材は、前記上部基板の上面に前記アドレス電極と平行に形成される複数のブラックストライプを含むことを特徴とする請求項２１に記載のプラズマディスプレイパネル。
【請求項２９】
前記ブラックストライプは、放電によって発生した可視光が出射される領域以外の領域に形成されることを特徴とする請求項２８に記載のプラズマディスプレイパネル。
【請求項３０】
前記ブラックストライプはＥＭＩ遮蔽用の導電膜を含むことを特徴とする請求項２８に記載のプラズマディスプレイパネル。
【請求項３１】
前記ブラックストライプ間の前記上部基板の上面は無反射処理されることを特徴とする請求項２８に記載のプラズマディスプレイパネル。
【請求項３２】
前記隔壁は前記アドレス電極と平行に形成されることを特徴とする請求項２１に記載のプラズマディスプレイパネル。
【請求項３３】
前記放電電極の下面にはバス電極が形成されることを特徴とする請求項２１に記載のプラズマディスプレイパネル。
【請求項３４】
前記下部基板の上面には、前記アドレス電極を覆うように第１誘電体層が形成されることを特徴とする請求項２１に記載のプラズマディスプレイパネル。
【請求項３５】
前記上部基板の下部には、前記放電電極を覆うように第２誘電体層が形成されることを特徴とする請求項３４に記載のプラズマディスプレイパネル。
【請求項３６】
前記第２誘電体層の下面には保護膜が形成されることを特徴とする請求項３５に記載のプラズマディスプレイパネル。
【発明の詳細な説明】
【技術分野】
【０００１】
本発明は、プラズマディスプレイパネル（Ｐｌａｓｍａ ｄｉｓｐｌａｙ ｐａｎｅｌ：以下、ＰＤＰ）に係り、詳細には、輝度及び明室コントラストを向上させうる改善された構造のＰＤＰに関する。
【背景技術】
【０００２】
ＰＤＰは、電気的放電を利用して画像を形成する装置であって、輝度や視野角などの表示性能に優れており、その使用が増加しつつある。そのようなＰＤＰは、電極に印加される直流または交流電圧によって電極間でガス放電が起こり、そのガス放電過程で伴われる紫外線の放射により、蛍光体が励起されて可視光を発散する。
【０００３】
前記ＰＤＰは、その放電形式によって直流型（ＤＣ ｔｙｐｅ）と交流型（ＡＣ ｔｙｐｅ）とに分類されうる。直流型ＰＤＰは、あらゆる電極が放電空間に露出される構造であって、対応電極間で電荷の移動が直接的に行われる。交流型ＰＤＰは、少なくとも一つの電極が誘電体層で取り囲まれ、対応する電極間で直接的な電荷の移動が行われない代わりに、壁電荷によって放電が行われる。
【０００４】
また、ＰＤＰは、電極の配置構造によって対向放電型と面放電型とに分類されうる。対向放電型ＰＤＰは、対をなす二つの維持電極がそれぞれ上部基板と下部基板とに配置された構造であって、放電が基板に垂直方向に行われる。面放電型ＰＤＰは、対をなす二つの維持電極が同じ基板上に配置された構造であって、放電が基板と並行に行われる。
【０００５】
ところが、前記対向放電型ＰＤＰは、発光効率は高いことに対し、プラズマにより蛍光体層が容易に劣化するという短所があって、最近には面放電型ＰＤＰが多く用いられている。
【０００６】
図１及び図２には、従来の一般的な面放電型ＰＤＰが示されている。図２では、ＰＤＰの内部構造をより分かりやすく示すために、上部基板のみを９０゜回転させた状態で示されている。
【０００７】
図１及び図２を共に参照すれば、従来のＰＤＰは、相互対向する下部基板１０と上部基板２０とを備える。
【０００８】
下部基板１０の上面には、複数のアドレス電極１１がストライプ状に配列されており、そのアドレス電極１１は、白色の第１誘電体層１２により埋め込まれている。そして、第１誘電体層１２の上面には、放電セル１４間の電気的、光学的クロストークを防止するための複数の隔壁１３が互いに所定間隔離れて形成されている。その隔壁１３により区画された放電セル１４の内面には、それぞれ赤色（Ｒ）、緑色（Ｇ）、青色（Ｂ）の蛍光体層１５が所定の厚さに塗布されている。そして、前記放電セル１４内には、プラズマ放電のためのガスとして一般的に使用されるネオン（Ｎｅ）ガスと少量のキセノン（Ｘｅ）ガスとが混合された放電ガスが満たされる。
【０００９】
上部基板２０は、可視光が透過されうる透明基板として主にガラスからなり、隔壁１３が設けられた下部基板１０に結合される。上部基板２０の下面には、前記アドレス電極１１と直交するストライプ状の維持電極２１ａ、２１ｂが対をなして形成されている。前記維持電極２１ａ、２１ｂは、可視光が透過されうるように、主にＩＴＯ（Ｉｎｄｉｕｍ Ｔｉｎ Ｏｘｉｄｅ）のような透明な導電性材料からなる。そして、前記維持電極２１ａ、２１ｂのライン抵抗を減らすために、維持電極２１ａ、２１ｂのそれぞれの下面には、金属材質からなるバス電極２２ａ、２２ｂが維持電極２１ａ、２１ｂよりも幅を狭くして形成されている。そのような維持電極２１ａ、２１ｂとバス電極２２ａ、２２ｂとは、透明な第２誘電体層２３により埋め込まれており、第２誘電体層２３の下面には保護膜２４が形成されている。前記保護膜２４は、プラズマ粒子のスパッタリングによる第２誘電体層２３の損傷を防止し、２次電子を放出して放電電圧を下げる役割を行うものであって、一般的に酸化マグネシウム（ＭｇＯ）からなる。一方、前記上部基板２０の上面には、外部からパネル内部へ光が流入されることを防止するために、複数のブラックストライプ３０が所定の間隔で前記維持電極２１ａ、２１ｂと並行に形成されている。
【００１０】
そのような構成を有する従来のＰＤＰの駆動は、アドレス放電のための駆動と維持放電のための駆動とに大分される。アドレス放電は、アドレス電極１１及び維持電極２１ａ、２１ｂのうち、何れか一つの電極間で起こり、その時に壁電荷が形成される。維持放電は、壁電荷が形成された放電セル１４に位置する維持電極２１ａ、２１ｂの間の電位差によって起こる。その維持放電時に、放電ガスから発生する紫外線により当該放電セル１４の蛍光体層１５が励起されて可視光が発散し、その可視光が上部基板２０を通じて出射されて、ユーザーが認識できる画像を形成する。
【００１１】
しかし、前記のような構造のＰＤＰでは、外部の明るい条件、すなわち、明室条件では、外部の光がパネルの放電セル１４の内部へ流入されて、放電セル１４から発生した光と外部から流入された光とが重畳される。その結果、明室コントラストが低下してＰＤＰの画面表示能力が悪くなる。
【発明の開示】
【発明が解決しようとする課題】
【００１２】
本発明は、前記のような問題点を解決するためになされたものであって、上部基板の構造を改善して輝度及び明室コントラストを向上させうるＰＤＰを提供することにその目的がある。
【課題を解決するための手段】
【００１３】
前記目的を達成するために、本発明の実施例に係るＰＤＰは、互いに離れて配置されて、その間に放電空間を形成する下部基板及び上部基板と、前記下部基板と上部基板との間に設けられて、前記放電空間を区画して放電セルを形成する複数の隔壁と、前記下部基板の上面に互いに並行に形成される複数のアドレス電極と、前記上部基板の下部に前記アドレス電極と交差する方向に形成される複数の放電電極と、前記放電セルの内壁に形成される蛍光体層と、前記上部基板に形成されて、外部の光が前記放電セルに流入されることを防止するための外光遮蔽部材と、を備え、前記上部基板の下面には、前記放電セルのそれぞれに対応して放電によって発生した可視光を集束して外部へ出射させる複数の円筒形レンズが形成される。
【００１４】
ここで、前記円筒形レンズは前記上部基板に一体に形成されることが好ましい。
【００１５】
前記円筒形レンズは前記アドレス電極と平行に形成されうる。その時、前記外光遮蔽部材は、前記上部基板の上面に前記アドレス電極と平行に形成される複数のブラックストライプを含む。ここで、前記ブラックストライプは、放電によって発生した可視光が出射される領域以外の領域に形成されることが好ましく、前記ブラックストライプはＥＭＩ（Ｅｌｅｃｔｒｏ Ｍａｇｎｅｔｉｃ Ｉｎｔｅｒｆｅｒｅｎｃｅ：電磁波干渉）遮蔽用の導電膜を含みうる。そして、前記ブラックストライプ間の前記上部基板の上面は無反射処理されることが好ましい。
【００１６】
前記円筒形レンズは前記アドレス電極と直交する方向に形成されてもよい。その時、前記外光遮蔽部材は、前記上部基板の上面に前記アドレス電極と直交する方向に形成される複数のブラックストライプを含む。
【００１７】
前記放電電極は前記円筒形レンズの下面に形成されうる。
【００１８】
一方、前記円筒形レンズの下面には、透明な材質の物質層が前記円筒形レンズを覆うように形成されてもよく、その時、前記放電電極は前記物質層の下面に形成されうる。
【００１９】
前記隔壁は前記アドレス電極と平行に形成されてもよく、前記放電電極の下面にはバス電極が形成されうる。
【００２０】
そして、前記下部基板の上面には、前記アドレス電極を覆うように第１誘電体層が形成されてもよく、前記上部基板の下部には前記放電電極を覆うように第２誘電体層が形成されうる。そして、前記第２誘電体層の下面には保護膜が形成されうる。
【００２１】
本発明の他の実施例に係るＰＤＰは、互いに離れて配置されて、その間に放電空間を形成する下部基板及び上部基板と、前記下部基板と上部基板との間に設けられて、前記放電空間を区画して放電セルを形成する複数の隔壁と、前記下部基板の上面に互いに並行に形成される複数のアドレス電極と、前記上部基板の下部に前記アドレス電極と交差する方向に形成される複数の放電電極と、前記放電セルの内壁に形成される蛍光体層と、前記上部基板に形成されて、外部の光が前記放電セルに流入されることを防止するための外光遮蔽部材と、を備え、前記上部基板の下面には、複数の放電セルに対応して放電によって発生した可視光を集束して外部へ出射させる一つの円筒形レンズが形成される。
【００２２】
ここで、前記円筒形レンズは、それぞれ一つのピクセルをなす３個の放電セルに対応して形成されることが好ましく、前記円筒形レンズは前記アドレス電極と平行に形成されることが好ましい。
【発明の効果】
【００２３】
本発明に係るＰＤＰによれば、次のような効果がある。
【００２４】
第一に、上部基板の下面に、放電セルのそれぞれに対応する複数の円筒形レンズを形成することにより、放電セルで発生した可視光の損失を減らすと共に光集積度を向上させ得るため、パネルの輝度を更に向上させることができる。
【００２５】
第二に、上部基板の上面に、ブラックストライプを従来よりも更に広い領域にかけて形成できるため、外部の光が放電セルに流入されることを更に効果的に防止でき、その結果、パネルの明室コントラストを向上させることができる。
【００２６】
第三に、上部基板の下面に、複数の放電セルに対応する一つの円筒形レンズを形成することにより、円筒形レンズの加工を容易に行え、その結果、低コストのパネルを具現できる。
【発明を実施するための最良の形態】
【００２７】
以下、添付図面を参照して本発明に係る好ましい実施例を詳細に説明する。図面で同じ参照符号は同じ構成要素を示す。
【００２８】
図３は、本発明の実施例に係るＰＤＰの一部を切り取って示した斜視図であり、図４は、図３に示されたＰＤＰの内部構造を示した断面図である。
【００２９】
図３及び図４を参照すれば、本発明の実施例に係るＰＤＰは、互いに離れて対向するように配置される下部基板１１０と上部基板１２０とを備える。ここで、前記下部基板１１０と上部基板１２０との間の空間は、プラズマ放電が起こる放電空間となる。
【００３０】
前記下部基板１１０はガラス基板であって、その上面には、アドレス放電のための複数のアドレス電極１１１が互いに並行にストライプ状に形成される。そして、前記下部基板１１０の上面には、第１誘電体層１１２が前記アドレス電極１１１を覆うように形成される。そのような第１誘電体層１１２は、下部基板１１０の上面に白色の誘電物質を所定の厚さに塗布することで形成されうる。
【００３１】
前記第１誘電体層１１２の上面には、複数の隔壁１１３が所定間隔離れてアドレス電極１１１と平行に形成される。前記隔壁１１３は、下部基板１１０と上部基板１２０との間の放電空間を区画して放電セル１１４を形成する。そして、そのような隔壁１１３は、隣接する放電セル１１４の間に電気的、光学的クロストークを防止して色純度を向上させる役割を行う。前記放電セル１１４の内壁をなす第１誘電体層１１２の上面及び隔壁１１３の側面には、それぞれ赤色（Ｒ）、緑色（Ｇ）、青色（Ｂ）の蛍光体層１１５が所定の厚さに塗布されている。前記蛍光体層１１５は、プラズマ放電によって発生した紫外線によって励起されて所定色の可視光を放出する。そして、前記放電セル１１４の内部には、プラズマ放電のためのガスとして一般的に使用されるネオン（Ｎｅ）ガスと少量のキセノン（Ｘｅ）ガスとが混合された放電ガスが満たされる。
【００３２】
前記上部基板１２０は、可視光が透過されうる透明基板であって、主にガラス基板が使用される。前記上部基板１２０の下面には、前記放電セル１１４のそれぞれに対応する複数の円筒形レンズ１２０ａ、１２０ｂ、１２０ｃがアドレス電極１１１と平行に形成される。ここで、前記円筒形レンズ１２０ａ、１２０ｂ、１２０ｃは前記上部基板１２０に一体に形成されることが好ましく、それは、上部基板１２０の下面を加工することで行われ得る。そのような円筒形レンズ１２０ａ、１２０ｂ、１２０ｃは、それぞれ図４に示されたように、放電によって放電セル１１４から発生した可視光を集束して外部へ出射させる役割を行う。そのように、上部基板１２０の下面に放電セル１１４のそれぞれに対応する複数の円筒形レンズ１２０ａ、１２０ｂ、１２０ｃを形成すれば、放電セル１１４から発生した可視光の損失が減ると共に、光集積度が向上され得るため、パネルの輝度を更に層向上させうる。
【００３３】
一方、本実施例では、上部基板１２０の下面に、放電セル１１４のそれぞれに対応して３個の円筒形レンズ１２０ａ、１２０ｂ、１２０ｃが形成された場合が図示されているが、それとは違って、放電セル１１４のそれぞれに対応して２個または４個以上の円筒形レンズが形成されてもよい。
【００３４】
前記円筒形レンズ１２０ａ、１２０ｂ、１２０ｃの下面には、放電セル１１４ごとに維持放電のための第１及び第２放電電極１２１ａ、１２１ｂが対をなして形成される。ここで、前記第１及び第２放電電極１２１ａ、１２１ｂはアドレス電極１１１と直交する方向に形成される。前記第１及び第２放電電極１２１ａ、１２１ｂは、放電セル１１４から発生した可視光が透過され得るように主にＩＴＯのような透明な導電性材料からなる。そして、前記第１及び第２放電電極１２１ａ、１２１ｂの下面には、それぞれ金属材質からなる第１及び第２バス電極１２２ａ、１２２ｂが形成される。前記第１及び第２バス電極１２２ａ、１２２ｂは、それぞれ第１及び第２放電電極１２１ａ、１２１ｂのライン抵抗を減らすための電極であって、第１及び第２放電電極１２１ａ、１２１ｂよりも狭く形成される。
【００３５】
前記円筒形レンズ１２０ａ、１２０ｂ、１２０ｃの下面には、前記第１及び第２放電電極１２１ａ、１２１ｂと第１及び第２バス電極１２２ａ、１２２ｂとを覆うように第２誘電体層１２３が形成される。そのような第２誘電体層１２３は、上部基板１２０の下面に透明な誘電物質を所定厚さに塗布することで形成されうる。
【００３６】
そして、前記第２誘電体層１２３の下面には保護膜１２４が形成される。前記保護膜１２４は、プラズマ粒子のスパッタリングにより第２誘電体層１２３と第１及び第２放電電極１２１ａ、１２１ｂとが損傷することを防止し、２次電子を放出して放電電圧を下げる役割を行う。前記保護膜１２４は、第２誘電体層１２３の下面に酸化マグネシウム（ＭｇＯ）を所定厚さに塗布することで形成されうる。
【００３７】
前記上部基板１２０の上面には、外部の光が上部基板１２０を通じて放電セル１１４に流入されることを防止するために外光遮蔽部材が設けられる。前記外光遮蔽部材は、上部基板１２０の上面に一定間隔で並行に形成された複数のブラックストライプ１３０からなる。ここで、前記ブラックストライプ１３０は、アドレス電極１１１と平行に、すなわち、円筒形レンズ１２０ａ、１２０ｂ、１２０ｃと平行に一定の幅をもって形成される。そして、前記ブラックストライプ１３０は、放電時に放電セル１１４から発生した可視光が出射される領域以外の領域に形成される。そのように、上部基板１２０の上面にブラックストライプ１３０が形成されれば、放電によって放電セル１１４から発生した可視光は、図４に示されたように、ブラックストライプ１３０の間の上部基板１２０の上面１４０に集束された後に外部に拡散して出射される。それにより、上部基板１２０の上面には、ブラックストライプ１３０が従来よりも更に広い領域にかけて形成されうるため、外部の光が放電セル１１４に流入されることを更に効果的に防止でき、その結果、パネルの明室コントラストが向上しうる。そして、前記ブラックストライプ１３０には、ＥＭＩ遮蔽用の導電膜が含まれてもよい。
【００３８】
一方、前記ブラックストライプ１３０間の上部基板１２０の上面１４０は無反射処理されている。それは、外部の光が上部基板１２０に反射されて発生する目がくらむ効果を防止するためのものである。
【００３９】
前記のような構造のＰＤＰで、まずアドレス電極１１１及び第１、第２放電電極１２１ａ、１２１ｂのうち、何れか一つの電極の間でアドレス放電が起これば、壁電荷が形成される。次いで、第１及び第２放電電極１２１ａ、１２１ｂに交流電圧が印加されれば、壁電荷が形成された放電セル１１４の内部で維持放電がおこる。そのような維持放電によって放電ガスから紫外線が発生し、そのように発生した紫外線は蛍光体層１１５を励起して可視光を発生させる。
【００４０】
そして、各放電セル１１４で発生した可視光は、複数の円筒形レンズ１２０ａ、１２０ｂ、１２０ｃによってブラックストライプ１３０間の無反射処理された上部基板１２０の上面１４０に集束された後に外部に拡散して出射される。それにより、放電セル１１４で発生した可視光の損失を減らし、光の集積度が向上してパネルの輝度を向上させうる。
【００４１】
そして、上部基板１２０の上面に形成されるブラックストライプ１３０の領域を従来よりも増加させうるため、パネルの明室コントラストを更に向上させることができる。
【００４２】
図５には、図３及び図４に示されたＰＤＰの変形例が図示されている。図５を参照すれば、円筒形レンズ１２０ａ、１２０ｂ、１２０ｃの下面に、前記円筒形レンズ１２０ａ、１２０ｂ、１２０ｃを覆うように透明な材質の物質層１５０が形成される。そして、前記物質層１５０の平坦な下面に第１及び第２放電電極１２１ａ、１２１ｂが形成され、前記第１及び第２放電電極１２１ａ、１２１ｂの下面に第１及び第２バス電極１２２ａ、１２２ｂが形成される。また、前記物質層１５０の下面には、第２誘電体層１２３が第１及び第２放電電極１２１ａ、１２１ｂと第１及び第２バス電極１２２ａ、１２２ｂとを覆うように形成される。このように、円筒形レンズ１２０ａ、１２０ｂ、１２０ｃの下面に物質層１５０を形成すれば、前記第１及び第２放電電極１２１ａ、１２１ｂと、第１及び第２バス電極１２２ａ、１２２ｂとを容易に形成できる。
【００４３】
図６は、本発明の他の実施例に係るＰＤＰの一部を切り取って示した斜視図であり、図７は、図６に示されたＰＤＰの内部構造を示した断面図である。
【００４４】
図６及び図７を参照すれば、下部基板２１０と上部基板２２０とが互いに離れて配置されて、その間に放電空間を形成する。前記下部基板２１０上には、前記したように、アドレス電極２１１と第１誘電体層２１２とが順次に形成される。そして、前記第１誘電体層２１２の上面には、放電空間を区画して放電セル２１４を形成する複数の隔壁２１３がアドレス電極２１１と平行に形成される。前記放電セル２１４の内壁をなす第１誘電体層２１２の上面及び隔壁２１３の側面には蛍光体層２１５が塗布され、前記放電セル２１４の内部には放電ガスが満たされる。
【００４５】
前記上部基板２２０の下面には、放電セル２１４のそれぞれに対応する複数の円筒形レンズ２２０ａ、２２０ｂ、２２０ｃが形成される。ここで、前記円筒形レンズ２２０ａ、２２０ｂ、２２０ｃは、アドレス電極２１１と直交する方向に形成される。ここで、前記円筒形レンズ２２０ａ、２２０ｂ、２２０ｃは、前記上部基板２２０に一体に形成されることが好ましく、それは、上部基板２２０の下面を加工することで行われ得る。そのような円筒形レンズ２２０ａ、２２０ｂ、２２０ｃは、それぞれ図７に示されたように、放電によって放電セル２１４で発生した可視光を集束して外部へ出射させる役割を行う。一方、本実施例では、上部基板２２０の下面に、放電セル２１４のそれぞれに対応して３個の円筒形レンズ２２０ａ、２２０ｂ、２２０ｃが形成された場合が示されているが、それとは違って、放電セル２１４のそれぞれに対応して２個または４個以上の円筒形レンズが形成されてもよい。
【００４６】
前記円筒形レンズ２２０ａ、２２０ｂ、２２０ｃの下面には、放電セル１１４ごとに維持放電のための第１及び第２放電電極２２１ａ、２２１ｂが対をなして、アドレス電極１１１と直交する方向に形成される。そして、前記第１及び第２放電電極２２１ａ、２２１ｂの下面には、それぞれ金属材質からなる第１及び第２バス電極２２２ａ、２２２ｂが形成される。
【００４７】
前記円筒形レンズ２２０ａ、２２０ｂ、２２０ｃの下面には、前記第１及び第２放電電極２２１ａ、２２１ｂと前記第１及び第２バス電極２２２ａ、２２２ｂとを覆うように第２誘電体層２２３が形成され、前記第２誘電体層２２３の下面には保護膜２２４が形成される。
【００４８】
前記上部基板２２０の上面には、外部の光が上部基板２２０を通じて放電セル２１４に流入されることを防止するための外光遮蔽部材が設けられ、そのような外光遮蔽部材は、上部基板２２０の上面に一定の間隔で平行に形成された複数のブラックストライプ２３０からなる。ここで、前記ブラックストライプ２３０は、アドレス電極２１１と直交する方向、すなわち円筒形レンズ２２０ａ、２２０ｂ、２２０ｃと平行に一定の幅をもって形成される。そして、前記ブラックストライプ２３０は、放電時に放電セル２１４で発生した可視光が出射される領域以外の領域に形成される。そして、前記ブラックストライプ２３０間の上部基板２２０の上面２４０は無反射処理されている。一方、前記ブラックストライプ２３０には、ＥＭＩ遮蔽用の導電膜が含まれてもよい。
【００４９】
図８には、図６及び図７に示されたＰＤＰの変形例が示されている。図８を参照すれば、円筒形レンズ２２０ａ、２２０ｂ、２２０ｃの下面に前記円筒形レンズ２２０ａ、２２０ｂ、２２０ｃを覆うように透明な材質の物質層２５０が形成される。そして、前記物質層２５０の平坦な下面に第１及び第２放電電極２２１ａ、２２１ｂが形成され、前記第１及び第２放電電極２２１ａ、２２１ｂの下面に第１及び第２バス電極２２２ａ、２２２ｂが形成される。また、前記物質層２５０の下面には、第２誘電体層２２３が第１及び第２放電電極２２１ａ、２２１ｂと第１及び第２バス電極２２２ａ、２２２ｂとを覆うように形成される。このように、円筒形レンズ２２０ａ、２２０ｂ、２２０ｃの下面に物質層２５０を形成すれば、前記第１及び第２放電電極２２１ａ、２２１ｂと、第１及び第２バス電極２２２ａ、２２２ｂとを容易に形成できる。
【００５０】
図９は、本発明の更に他の実施例に係るＰＤＰの一部を切り取って示した斜視図であり、図１０は、図９に示されたＰＤＰの内部構造を示した断面図である。
【００５１】
図９及び図１０を参照すれば、下部基板３１０と上部基板３２０とが互いに離れて配置されて、その間に放電空間を形成する。前記下部基板３１０上にはアドレス電極３１１と第１誘電体層３１２とが順次に形成される。そして、前記第１誘電体層３１２の上面には、放電空間を区画して放電セル３１４を形成する複数の隔壁３１３がアドレス電極３１１と平行に形成される。
【００５２】
前記放電セル３１４の内壁をなす第１誘電体層３１２の上面及び隔壁３１３の側面には、それぞれ赤色（Ｒ）、緑色（Ｇ）、青色（Ｂ）の蛍光体層３１５Ｒ、３１５Ｇ、３１５Ｂが順に塗布されている。そして、前記放電セル３１４の内部にはネオン（Ｎｅ）ガスと少量のキセノン（Ｘｅ）ガスとが混合された放電ガスが満たされる。
【００５３】
前記上部基板３２０の下面には、円筒形レンズ３２０ａがアドレス電極３１１と平行に形成される。ここで、前記円筒形レンズ３２０ａは、それぞれ複数の放電セル３１４に対応して形成される。好ましくは、前記円筒形レンズ３２０ａのそれぞれは、図９及び図１０に示されたように、一つのピクセルに対応して形成される。すなわち、前記円筒形レンズ３２０ａは、Ｒ、Ｇ、Ｂの蛍光体層３１５Ｒ、３１５Ｇ、３１５Ｂが順に形成された３個の放電セル３１４に対応して形成される。そのような円筒形レンズ３２０ａは上部基板３２０に一体に形成されることが好ましく、それは、上部基板３２０の下面を加工することで形成され得る。前記円筒形レンズ３２０ａのそれぞれは、図１０に示されたように、Ｒ、Ｇ、Ｂの蛍光体層３１５Ｒ、３１５Ｇ、３１５Ｂが順に形成された３個の放電セル３１４で発生する可視光を上部基板の上面に集束して外部へ出射させる。そのように、上部基板３２０の下面に円筒形レンズ３２０ａを一つのピクセルに対応するように形成すれば、放電によって発生した可視光の損失を減らしうるため、パネルの輝度を向上させうる。また、一つの円筒形レンズ３２０ａが３個の放電セル３１４に対応して形成されるため、円筒形レンズ３２０ａの加工が容易であるだけでなく、低コストのパネルを具現できる。
【００５４】
前記円筒形レンズ３２０ａの下面には、放電セル３１４ごとに維持放電のための第１及び第２放電電極３２１ａ、３２１ｂが対をなして形成される。ここで、前記第１及び第２放電電極３２１ａ、３２１ｂはアドレス電極３１１と直交する方向に形成される。そして、前記第１及び第２放電電極３２１ａ、３２１ｂの下面には、それぞれ金属材質からなる第１及び第２バス電極３２２ａ、３２２ｂが形成される。また、前記円筒形レンズ３２０ａの下面には、第１及び第２放電電極３２１ａ、３２１ｂと第１及び第２バス電極３２２ａ、３２２ｂとを覆うように第２誘電体層３２３が形成され、前記第２誘電体層３２３の下面には保護膜３２４が形成される。
【００５５】
前記上部基板３２０の上面には、外部の光が上部基板３２０を通じて放電セル３１４に流入されることを防止するための外光遮蔽部材が設けられ、そのような外光遮蔽部材は、上部基板３２０の上面に一定の間隔で平行に形成された複数のブラックストライプ３３０からなる。ここで、前記ブラックストライプ３３０はアドレス電極３１１と平行に、すなわち円筒形レンズ３２０ａと平行に一定の幅をもって形成される。そして、前記ブラックストライプ３３０は、放電時に放電セル３１４で発生した可視光が円筒形レンズ３２０ａによって集束された後に出射される領域以外の領域に形成される。そして、前記ブラックストライプ３３０間の上部基板３２０の上面３４０は無反射処理されている。前記のようなブラックストライプ３３０によって外部の光が放電セル３１４に流入されることを防止でき、それによりパネルの明室コントラストを向上させうる。一方、前記ブラックストライプ３３０にはＥＭＩ遮蔽用の導電膜が含まれてもよい。
【００５６】
図１１には、図９及び図１０に示されたＰＤＰの変形例が示されている。図１１を参照すれば、円筒形レンズ３２０ａの下面に前記円筒形レンズ３２０ａを覆うように透明な材質の物質層３５０が形成される。そして、前記物質層３５０の平坦な下面に第１及び第２放電電極３２１ａ、３２１ｂが形成され、前記第１及び第２放電電極３２１ａ、３２１ｂの下面に第１及び第２バス電極３２２ａ、３２２ｂが形成される。また、前記物質層３５０の下面には、第２誘電体層３２３が第１及び第２放電電極３２１ａ、３２１ｂと第１及び第２バス電極３２２ａ、３２２ｂとを覆うように形成される。そのように、円筒形レンズ３２０ａの下面に物質層３５０を形成すれば、前記第１及び第２放電電極３２１ａ、３２１ｂと、第１及び第２バス電極３２２ａ、３２２ｂとを更に容易に形成できる。
【００５７】
以上、本発明に係る好ましい実施例を説明したが、これは例示的なものに過ぎず、当業者ならば、これから多様な変形及び均等な他の実施例が可能であるということが理解できる。すなわち、前記した実施例では、交流型の面放電型ＰＤＰを例として挙げたが、本発明では、これに限定されず、直流型ＰＤＰや対向放電型ＰＤＰも適用されうる。
【産業上の利用可能性】
【００５８】
本発明は、交流型の面放電型ＰＤＰだけでなく、直流型ＰＤＰ、対向放電型ＰＤＰに適用できる。
【図面の簡単な説明】
【００５９】
【図１】従来面放電型ＰＤＰの一部を切り取って示した斜視図である。
【図２】図１に示されたＰＤＰの内部構造を示した断面図である。
【図３】本発明の実施例に係るＰＤＰの一部を切り取って示した斜視図である。
【図４】図３に示されたＰＤＰの内部構造を示した断面図である。
【図５】図３に示されたＰＤＰの変形例を示した断面図である。
【図６】本発明の他の実施例に係るＰＤＰの一部を切り取って示した斜視図である。
【図７】図６に示されたＰＤＰの内部構造を示した断面図である。
【図８】図６に示されたＰＤＰの変形例を示した断面図である。
【図９】本発明のまた他のＰＤＰの一部を切り取って示した斜視図である。
【図１０】図９に示されたＰＤＰの内部構造を示した断面図である。
【図１１】図９に示されたＰＤＰの変形例を示した断面図である。
【符号の説明】
【００６０】
１１０  下部基板
１１１  アドレス電極
１１２  第１誘電体層
１１３  隔壁
１１４  放電セル
１１５  蛍光体層
１２０  上部基板
１２０ａ、１２０ｂ、１２０ｃ  円筒形レンズ
１２１ａ  第１放電電極
１２１ｂ  第２放電電極
１２２ａ  第１バス電極
１２２ｂ  第２バス電極
１２３  第２誘電体層
１２４  保護膜
１３０  ブラックストライプ
１４０  上面
【図１】
2005302716.tif 000003
【図２】
2005302716.tif 000004
【図３】
2005302716.tif 000005
【図４】
2005302716.tif 000006
【図５】
2005302716.tif 000007
【図６】
2005302716.tif 000008
【図７】
2005302716.tif 000009
【図８】
2005302716.tif 000010
【図９】
2005302716.tif 000011
【図１０】
2005302716.tif 000012
【図１１】
2005302716.tif 000013